(57)【要約】    【課題】二酸化炭素を用いて泡状のエスプーマを製造すると共に、ボトル内が過圧状態になるのを防げ、清掃等も容易にできる加圧式飲料ボトルの定量用インナーバッグを提供する。    【解決手段】本発明にかかる定量用インナーバッグ(1)は、出入口(11)を形成する環体部(12)と、該環体部に続く弾性材製の主部(13)を有し、定量容積(C1)はボトル(2)の本体(21)の内容積(C2)より小さく、該環体部が該本体の開口部(23)に支持されて該主部が該本体内に収められる。該主部は、充填した定量材(M)の重量では該定量容積が膨張せず、該重量にガス圧が加わった場合に膨張して該本体の内壁面(30)に密接すると共に圧力調整用の空間部(S)が現出する。【選択図】  図１
2006206114.tif 000002
【特許請求の範囲】
【請求項１】
出入口(11)を形成する環体部(12)と、該環体部(12)に続く弾性材製の主部(13)を有し、定量容積(C1)はボトル(2)の本体(21)の内容積(C2)より小さく、該環体部(12)が該本体(21)の開口部(23)に支持されて該主部(13)が該本体(21)内に収められるもので、該主部(13)は、充填した定量材(M)の重量では該定量容積(C1)が膨張せず、該重量にガス圧が加わった場合に膨張して該本体(21)の内壁面(30)に密接すると共に圧力調整用の空間部(S)が現出することを特徴とする加圧式飲料ボトルの定量用インナーバッグ(1)。
【請求項２】
該主部(13)は該環体部(12)の一面側に該出入口(11)の内周縁を囲んで続いている請求項１に記載の加圧式飲料ボトルの定量用インナーバッグ。
【請求項３】
該定量容積(C1)が、定量材(M)の充填前の状態において、定量用に特定されている請求項１又は２に記載の加圧式飲料ボトルの定量用インナーバッグ。
【請求項４】
該環体部(12)及び該主部(13)が食品に悪影響を与えない材質のもので構成されている請求項１、２又は３に記載の加圧式飲料ボトルの定量用インナーバッグ。
【請求項５】
該材質がポリエチレンである請求項４に記載の加圧式飲料ボトルの定量用インナーバッグ。
【請求項６】
該環体部(12)は円環部(12’)で、該主部(13)は該環体部(12)との連接点で円環状部(13’)となり、途中から扁平状部(13”)となっている請求項１から５の一つの項に記載の加圧式飲料ボトルの定量用インナーバッグ。
【請求項７】
該主部(13)は側面にまち(14)が形成されている請求項６に記載の加圧式飲料ボトルの定量用インナーバッグ。
【発明の詳細な説明】
【技術分野】
【０００１】
本発明は加圧式飲料ボトルの定量用インナーバッグにかかり、圧力容器の過圧状態になるのを防ぐと共に清掃等の容易化をはかったものに関する。
【０００２】
料飲店や家庭で炭酸水を製造する場合、ソーダサイフォンなどの商品が内外に存在し、水などの液体に炭酸ガスを加圧注入している。手軽な炭酸水製造装置は、ミニガスカートリッジと呼ばれる小型の炭酸ガス容器が用いられている。また、海外、例えばヨーロッパでは、クリーム等の乳製品をホイップ状に泡立てて料理やカクテル、コーヒーなどの飲料に添えるため、クリームホイッパー、エスプーマなどと呼ばれる加圧飲料ボトルも普及している。ただし、日本国においては、加圧ガスである亜酸化窒素ガス（Ｎ２Ｏ）が食品添加物として厚生労働省による承認認可がなされておらず、代替ガスの利用が検討されている。
【０００３】
エスプーマと呼ばれるクリーミーな泡を使った料理はスペインなど海外での高級料理に使われ、我が国にも紹介されたもので、料理、カクテル、コーヒー、洋菓子など、あらゆる食品や料理に使用され始めている。
本発明は、このような分野に適合するもので、亜酸化窒素ガス以外の二酸化炭素（ＣＯ２）を用い、安全性の確保、再使用時のボトルの内面の洗浄性や衛生面での問題等を解決するものである。
【背景技術】
【０００４】
ソーダサイフォンや噴霧器などのガス加圧式ボトルは、液体を入れた１リットル程度のボトルに小型のガスカートリジの炭酸ガスを押し出し用圧力源として封入する。水と炭酸ガスの場合、振騰させることでソーダ水を製造できる。
【０００５】
ガスを圧入する場合、ボトル内部の液体の量が多くて満杯だと、ボトル内のガス空間が少なくなる。ガスカートリッジの蒸気圧が常温で約６ＭＰａであり、ボトル内のガス空間が少ないと、圧力が法規制である１ＭＰａを超えるばかりでなく、ボトルは破裂の危険性を有する。
【０００６】
そこで、リリーフ弁を装備したり、実公昭５０−２５７１号公報や実公昭６２−３２６０８号公報のように液面を一定に保つやり方がある。液面方式の場合は、「スリーブ」と呼ばれる筒（前者では「筒部２７」、後者では「水準器６」が該当する。）を予めボトル内に挿入しておき、スリーブの下端面以上に水などの液体が入らないようにしてボトル内にガス空間を確保している。  
【０００７】
その他では、使用者が定められた量を計量カップなどで適量入れたり、ボトルの内面に目盛などを表示しておき、使用者が目視確認しながら注入している。
【０００８】
【特許文献１】実公昭５０−２５７１号公報
【特許文献２】実公昭６２−３２６０８号公報
【発明の開示】
【発明が解決しようとする課題】
【０００９】
ソーダサイフォンの登場で一般家庭でも自由に多くのバリエーションの飲料の製造を簡単に行えるようになっている。ソーダ水の場合、水を入れた１リットル程度のボトルに小型のガスカートリッジの炭酸ガスを注入し、振騰させるだけでよい。
【００１０】
ガスの液体への溶解は、温度が低いほど、圧力が高いほど、そして接触面積が多いほど進む。反面、圧力を上昇させるほど、ボトルの耐圧性、蓋構造などの安全性が問題となり、なおかつ、法規制からも、１ＭＰａ以下でなければならない。
【００１１】
そのため、従来のソーダサイフォンでは、液体をボトルに入れすぎるとガス空間が少なくなり、注入するガスの圧力に達する（例えば、ＣＯ２の場合は２０で６ＭＰａとなる。）。
【００１２】
スリーブ型式の場合、うっかりして先に液体をボトルに注入し、その後にスリーブを挿入したり、スリーブを先に挿入したものの液体を注入するときにボトルを傾けたりしてしまうと、所定の空間を確保できない。
【００１３】
ソーダサイフォン以外に、クリームホィッパーなどと呼ばれるボトル内部に乳製品やアルコールなどを入れて亜酸化窒素ガスで加圧する新飲料、食品などが注目を浴びている。しかしながら、我が国においては、亜酸化窒素ガスは食品添加物として認可されておらず、他のガスを採用する必要がある。この場合も、ソーダ水（炭酸水）と同様に内部の液体などを定量としないと安全性に問題があり、適正空間を保つための対策を必要とする。更にクリーム類などをボトルに入れて使用した場合、粘性が大きいため使用後の清掃が大変厄介で、とかく清掃が不完全となりやすい。  
【００１４】
そこで本発明は、二酸化炭素を用いて泡状のエスプーマを製造すると共に、ボトル内が過圧状態になるのを防げ、清掃等も容易にできる加圧式飲料ボトルの定量用インナーバッグを提供することを目的とする。
【課題を解決するための手段】
【００１５】
本発明にかかる加圧式飲料ボトルの定量用インナーバッグは、出入口を形成する環体部と、該環体部に続く弾性材製の主部を有する。定量容積はボトルの本体の内容積より小さい。該環体部が該本体の開口部に支持されて該主部が該本体内に収められる。該主部は、充填した定量材の重量では該定量容積が膨張せず、該重量にガス圧が加わった場合に膨張して該本体の内壁面に密接すると共に圧力調整用の空間部が現出する。
【００１６】
インナーバッグに対する定量材の充填は、環体部の剛性に応じて、その時期を選ぶ。即ち、定量材を充填してから環体部を持って吊り下げても環体部が全く変形せず、又は変形しても持ち運びできる程度のものなら、予め定量材を充填してからボトルの本体に装入してもよい。もし、環状体が変形して持ち運び不可能となるようなら、インナーバッグを先にボトルの本体に装入しておき、後からこのインナーバッグに定量材を充填する。
【００１７】
定量容積は主部と環体部を含めた全体の容積としてもよいが、環体部の形成する空間部分を除いた主部部分に限定してもよい。全体とすると、後充填の場合はともかく、前充填の場合は振動で溢れたりする危険がある。主部部分に限定すればその危険性がなくなるので好ましい。主部と環体部の境目は目視でもある程度判断できるが、念のため境界線等の目印を付けておくのがよい。
【００１８】
主部は弾性を有している。この弾性は、主部に充填した定量材の重量では定量容積が膨張しないようにする。もしこの状態で膨張してしまうと、定量容積が大きくなってしまうからである。この主部がボトルの本体に収容され、定量材が充填された状態で、ガス圧を受けると、この主部は変形して定量容積が膨張し、外面がボトル本体の内壁面に圧接する。この圧接は本体内壁面の全面に対する場合があり、またその一部の場合もある。主部のこの膨張により、主部内に圧力調整用の空間部が現出する。この空間部には環体部が提供する空間部分も協働する。
【００１９】
該主部は、該環体部の一面側に該出入口の内周縁を囲んで続いていてもよい。
この場合、該主部の一端が該出入口とほぼ同じ形状に開口するので、定量材の充填が容易となる。
【００２０】
該定量容積が、定量材の充填前の状態において、定量用に特定されていてもよい。
この場合、該定量容積に一杯に定量材を充填するだけで、定量材の定量ができる。
【００２１】
該環体部及び該主部が食品に悪影響を与えない材質のもので構成されていてもよい。
この場合、食品用に使用でき、広い用途が確保される。
【００２２】
該材質がポリエチレンであってもよい。
この場合、弾性があり、しかも衛生的である。
【００２３】
該環体部は円環部で、該主部は該環体部との連接点で円環状部となり、途中から扁平状部となっていてもよい。
この場合、ボトル本体の開口が一般に丸いので、この開口に該環体部を載せて主部を本体内に収容でき、主部の開口と本体の開口が合致するので、定量材の充填を容易に行える。
【００２４】
該主部は側面にまちが形成されていてもよい。
この場合、定量材を主部に充填した場合、主部がまちの部分で広がって定量材を収容するので、主部の材質自体を伸張させることはなく、定量用の所定の内容積を確保できる。
【発明の効果】
【００２５】
本発明にかかる加圧式飲料ボトルの定量用インナーバッグは、定量充填の定量材の重量では定量容積が膨張しないので、過充填を起こす恐れはなく、該重量にガス圧が加わった場合に膨張して該本体の内壁面に密接すると共に圧力調整用の空間部が現出するので、急激な圧力上昇によるボトルの破裂の危険性を排除できる。
【００２６】
請求項２によれば、該主部は、該環体部に、その一面側から該出入口の内周縁を囲んで、続いているので、該主部の一端が該出入口とほぼ同じ形状に開口し、定量材の充填が容易となる。
【００２７】
請求項３によれば、該定量容積が、定量材の充填前の状態において、定量用に特定されているので、該定量容積に一杯に定量材を充填するだけで、定量材の定量ができる。
【００２８】
請求項４によれば、該環体部及び該主部が食品に悪影響を与えない材質のもので構成されているので、食品用に使用でき、広い用途が確保される。
【００２９】
請求項５によれば、該材質がポリエチレンなので、弾性があり、しかも衛生的である。
【００３０】
請求項６によれば、該環体部は円環部で、該主部は該環体部との連接点で円環状部となり、途中から扁平状部となっているので、ボトル本体の開口部が一般に丸いことと相まって、この開口部に該環体部を載せて主部を本体内に収容でき、主部の出入口と本体の開口が合致するので、定量材の充填を容易に行える。
【００３１】
請求項７によれば、該主部は側面にまちが形成されているので、定量材を主部に充填した場合、主部がまちの部分で広がって定量材を収容し、主部の材質自体を伸張させることはなく、定量用の所定の内容積を確保できる。
【発明を実施するための最良の形態】
【００３２】
図１は本発明にかかる加圧式飲料ボトルの定量用インナーバッグの具体例を、右半分を切断して、示した正面図、図２は平面図、図３は図１の右側面図で右側の半分を切断して示す。
【００３３】
図４と５は定量用インナーバッグ１をボトル２に使用した状態を示すものである。図４は、ボトル２の本体２１とキャップ２２を外して両者を断面で表し、本体２１に定量用インナーバッグ１が装入されて定量材Ｍが充填されている状態を、定量用インナーバッグ１の右半分を切断して、示してある。図５は、図４の本体２１にキャップ２２を取り付けて主部１３にガスカートリッジ２６からのガス圧を導入した状態で、定量材Ｍの表面が押し下げられ、主部１３が本体２１の内壁面３０に密接し、主部１３の上部に圧力調整用の空間部Ｓが現出している。
【００３４】
１は定量用インナーバッグ、２はボトルである。この定量用インナーバッグ１は出入口１１を形成する環体部１２と、この環体部１２に続く弾性材製の主部１３を有する。
【００３５】
ボトル２は本発明の主要部ではないので、概略説明に止める。図示の場合、ボトル２は本体２１とキャップ２２を有する。このキャップ２２は本体２１の開口部２３の外周のねじ２４に螺合自在で、定量材Ｍを吐出するためのノズル２５と、加圧ガスが充填されたカートリッジ２６の取付部２７が設けられ、この取付部２７は開封機構２８（例えば尖針）を備えている。ノズル２５に開閉弁２９が設けられる。３０はボトル３の内壁面である。
【００３６】
このボトル２は定量材Ｍに所定のガス圧が導入され、又は溶解した状態で使用される。このボトル２を傾け、開閉弁２９を開放すれば、定量材Ｍが自重で、又は自重と内圧でノズル２５を通って外部へ流出する。
【００３７】
卓上に直立させたまま抽出する型式のボトルの場合は、サイフォン型式とするのが好ましい。こうすると、前記のキャップの構成にサイフォン管が付加される。通常の噴霧器などと同様の構成である。ガスカートリッジ２６のガス圧は、開閉弁２９を開放することにより、サイフォン管を介してノズル２５から定量材Ｍと共に外部へ放出される。
【００３８】
定量容積Ｃ１はボトル２の本体２１の内容積Ｃ２より小さい。この定量用インナーバッグ１は、その環体部１２をボトル２の本体２１の開口部２３の端面に支持させて、その主部１３が本体２１内に収められる。主部１３は、充填した定量材Ｍの重量では定量容積Ｃ１が膨張せず、この重量にガス圧が加わった場合に膨張して本体２１の内壁面３０に密接すると共に圧力調整用の空間部Ｓが現出する。
【００３９】
インナーバッグ１に定量材Ｍを充填した状態でこのインナーバッグ１の環体部１２を持って主部１３を吊り下げても定量材Ｍがこぼれない程度に環体部１２が剛性を持っている場合、定量材Ｍのインナーバッグ１に対する充填は、インナーバッグ１をボトル２にセットする前でも、後でもよい。環体部１２の剛性が小で、インナーバッグ１に定量材Ｍを充填して持ち運びできないときは、インナーバッグ１を先にボトル２の本体２１に装入しておき、後からこのインナーバッグ１に定量材Ｍを充填する。
【００４０】
定量容積Ｃ１は主部１３と環体部１２の部分を含めた全体の容積としてもよいが、環体部１２の部分を除いた主部１３の部分に限定してもよい。全体とすると、後充填の場合はともかく、前充填の場合は振動で溢れたりする危険がある。主部１３の部分に限定すればその危険性がなくなるので好ましい。主部１３と環体部１２の境目は目視でもある程度判断できるが、念のため境界線等の目印を付けておくのがよい。
【００４１】
主部１３は弾性を有している。この弾性は、主部１３に充填した定量材Ｍの重量では定量容積Ｃ１が膨張しない程度のものにする。もしこの状態で膨張してしまうと、定量容積Ｃ１が大きくなってしまうからである。この主部１３がボトル２の本体２１に収容され、定量材Ｍが充填された状態で、ガス圧を受けると、この主部１３は変形して定量容積が膨張し、外面が本体２１の内壁面３０に圧接する。この圧接は内壁面３０の全面の場合やその一部の場合がある。主部１３のこの膨張により、主部１３内に圧力調整用の空間部Ｓが現出する。この空間部Ｓには環状体部分の空間部分も協働する。この空間部Ｓによりボトル２内部の圧力の急上昇が防止され、ボトルの破裂などの危険がなくなる。
【００４２】
ボトル２を傾けて開閉弁２９を開放すれば、ノズル２５を通って定量材Ｍが外部へ流出する。サイフォン型の場合、ボトル２を直立させたまま開閉弁２９を開放すればよい。
【００４３】
主部１３は、環体部１２の一面側に出入口１１の内周縁を囲んで続いている。
こうすると、主部１３の一端が出入口１１とほぼ同じ形状に開口するので、定量材の充填が容易となる。
【００４４】
定量容積Ｃ１が、定量材Ｍの充填前の状態において、定量用に特定されている。
こうすると、定量容積Ｃ１に一杯に定量材Ｍを充填するだけで、定量材Ｍの定量ができる。
【００４５】
環体部１２及び主部１３が食品に悪影響を与えない材質のもので構成されている。
こうすると、食品用に使用でき、広い用途が確保される。
【００４６】
材質がポリエチレンとなっている。
こうすると、弾性があり、しかも衛生的である。
【００４７】
環体部１２は円環部１２’で、主部１３はこの環体部１２との連接点で円環状部１３’となり、途中から扁平状部１３”となっている。
こうすると、ボトル２の本体２１の開口部２３が一般に丸いので、この開口部２３に環体部１２を載せて主部１３を本体２１内に収容でき、主部１３の出入口１１と本体２１の開口部２３が合致するので、定量材Ｍの充填を容易に行える。
【００４８】
主部１３は側面にまち１４が形成されている。
こうすると、定量材Ｍを主部１３に充填すると、主部１３がまち１４の部分で広がって定量材Ｍを収容するので、主部１３の材質自体が伸張することはなく、定量用の所定の内容積を確保できる。
【図面の簡単な説明】
【００４９】
【図１】本発明にかかる加圧式飲料ボトルの定量用インナーバッグの具体例を、右半分を切断して、示す正面図である。
【図２】平面図である。
【図３】図１の右側面図で右側の半分を切断して示す。
【図４】定量用インナーバッグをボトルに装入した未加圧の状態を示す一部切断正面図である。
【図５】図５は加圧状態を示す一部切欠正面図である。
【符号の説明】
【００５０】
１      定量用インナーバッグ
１１    出入口
１２    環体部
１２’  円環部
１３    主部
１３’  円環状部
１３”  扁平状部
１４    まち
Ｃ１      定量容積
Ｃ２      内容積
Ｓ      空間部
Ｍ      定量材
２      ボトル
２１    本体
２２    キャップ
２３    開口部
２４    ねじ
２５    ノズル
２６    カートリッジ
２７    取付部
２８    開封機構
２９    開閉弁
３０    内壁面
【図１】
2006206114.tif 000003
【図２】
2006206114.tif 000004
【図３】
2006206114.tif 000005
【図４】
2006206114.tif 000006
【図５】
2006206114.tif 000007